(57)【要約】【課題】分散アンテナシステム（Ｄｉｓｔｒｉｂｕｔｅｄ  Ａｎｔｅｎｎａ  Ｓｙｓｔｅｍ：ＤＡＳ）において端末が信号を受信する方法を提供する。【解決手段】ＤＡＳに属した基地局から、前記端末または前記端末を含む端末グループに対応するローカルミッドアンブル（ｌｏｃａｌ  ｍｉｄａｍｂｌｅ）の構成情報を受信するステップと、前記基地局から、前記ローカルミッドアンブルを受信するステップとを含み、前記ローカルミッドアンブルは、前記基地局の複数のアンテナのうち、前記端末または前記端末グループに関連する一つ以上の有効伝送アンテナに対応するミッドアンブルであってもよい。【選択図】図６
2013521693.tif 000002
【特許請求の範囲】
【請求項１】
分散アンテナシステム（ＤＡＳ）において端末が信号を受信する方法であって、
前記ＤＡＳに属した基地局から、前記端末または前記端末を含む端末グループに対応するローカルミッドアンブルの構成情報を受信するステップと、
前記基地局から、前記ローカルミッドアンブルを受信するステップと、
を含み、
前記ローカルミッドアンブルは、前記基地局の複数のアンテナのうち、前記端末または前記端末グループに関連する一つ以上の有効伝送アンテナに対応する、端末の信号受信方法。
【請求項２】
前記ローカルミッドアンブルの前記構成情報に基づいて、前記一つ以上の有効伝送アンテナに対応する前記ローカルミッドアンブルを確認し、チャネル推定を行うステップをさらに含む、請求項１に記載の端末の信号受信方法。
【請求項３】
前記一つ以上の有効伝送アンテナに対する前記チャネル推定に基づいたフィードバック情報を前記基地局に伝送するステップをさらに含む、請求項２に記載の端末の信号受信方法。
【請求項４】
前記基地局から、前記基地局に含まれた前記複数のアンテナのそれぞれに対応するグローバルミッドアンブルの構成情報を受信するステップと、
前記基地局から、前記グローバルミッドアンブルを受信するステップと、
をさらに含む、請求項１に記載の端末の信号受信方法。
【請求項５】
前記グローバルミッドアンブルを用いて、前記基地局の前記複数のアンテナのそれぞれに対するチャネル推定を行うステップをさらに含む、請求項４に記載の端末の信号受信方法。
【請求項６】
前記チャネル推定の結果に基づいて、前記端末または前記端末グループに関連する一つ以上の有効伝送アンテナに関する情報を生成するステップと、
前記一つ以上の有効伝送アンテナに関する情報を前記基地局に伝送するステップと、
をさらに含む、請求項５に記載の端末の信号受信方法。
【請求項７】
分散アンテナシステム（ＤＡＳ）において端末が信号を受信する方法であって、
前記ＤＡＳに属した基地局の複数のアンテナを前記基地局の一つ以上のローカルアンテナグループにマッピングするためのグループマッピング情報を前記基地局から受信するステップと、
前記ローカルアンテナグループに含まれたアンテナのそれぞれに対応するミッドアンブルを受信するステップと、
を含む、端末の信号受信方法。
【請求項８】
前記ローカルアンテナグループのそれぞれは、同じインデックスを有するアンテナに対して同一のグローバルミッドアンブルを有することを特徴とする、請求項７に記載の端末の信号受信方法。
【請求項９】
分散アンテナシステム（ＤＡＳ）において基地局が信号を伝送する方法であって、
端末別または端末グループ別に関連する一つ以上の有効伝送アンテナに対応するローカルミッドアンブルを構成するステップと、
前記端末または前記端末グループのそれぞれに対応する前記ローカルミッドアンブルを伝送するステップと、
を含む、基地局の信号伝送方法。
【請求項１０】
前記基地局の複数のアンテナのそれぞれに対応するグローバルミッドアンブルを構成して放送するステップをさらに含む、請求項９に記載の基地局の信号伝送方法。
【請求項１１】
前記グローバルミッドアンブルに基づいて実行されたチャネル推定の結果によって生成された前記一つ以上有効伝送アンテナに関する情報を含むフィードバック情報を、前記端末または前記端末グループから受信するステップをさらに含む、請求項１０に記載の基地局の信号伝送方法。
【請求項１２】
前記フィードバック情報に基づいて、前記端末または前記端末グループに関連する前記一つ以上の有効伝送アンテナを選択するステップをさらに含む、請求項１１に記載の基地局の信号伝送方法。
【請求項１３】
前記端末別または前記端末グループ別に対応した前記ローカルミッドアンブルに関する構成情報を伝送するステップをさらに含む、請求項９に記載の基地局の信号伝送方法。
【請求項１４】
前記ローカルミッドアンブルに基づいて、前記有効伝送アンテナのそれぞれに対して実行されたチャネル推定の結果によるフィードバック情報を、前記端末または前記端末グループから受信するステップをさらに含む、請求項９に記載の基地局の信号伝送方法。
【請求項１５】
分散アンテナシステム（ＤＡＳ）において基地局が信号を伝送する方法であって、
複数のアンテナを一つ以上のローカルアンテナグループに割り当てるステップと、
前記ローカルアンテナグループに含まれたアンテナのそれぞれに対応するグローバルミッドアンブルを放送するステップと、
を含み、
各ローカルアンテナグループを基準として同じインデックスを有するアンテナに対するグローバルミッドアンブルは、同一であることを特徴とする、基地局の信号伝送方法。
【請求項１６】
前記複数のアンテナの前記一つ以上のローカルアンテナグループへのマッピングに関連するグループマッピング情報を伝送するステップをさらに含む、請求項１５に記載の基地局の信号伝送方法。
【請求項１７】
分散アンテナシステム（ＤＡＳ）における端末において、
信号を受信するための受信モジュールと、
前記受信モジュールを通じて前記ＤＡＳに属した基地局から受信した前記端末または前記端末を含む端末グループに対応するローカルミッドアンブルに基づいてチャネル推定を行うプロセッサと、
を含み、
前記ローカルミッドアンブルは、前記基地局の複数のアンテナのうち、前記端末または前記端末グループに関連する一つ以上の有効伝送アンテナに対応する、端末。
【請求項１８】
分散アンテナシステム（ＤＡＳ）における基地局において、
信号を伝送するための送信モジュールと、
複数のアンテナのそれぞれに対応するグローバルミッドアンブル、または前記ＤＡＳに属した端末別または端末グループ別に関連する一つ以上の有効伝送アンテナに対応するローカルミッドアンブルを構成するプロセッサと、
を含み、
前記グローバルミッドアンブルは、前記送信モジュールを通じて前記基地局のサービス支援領域内で放送され、前記ローカルミッドアンブルは、前記ＤＡＳに属した端末または端末グループに伝送される、基地局。
【発明の詳細な説明】
【技術分野】
【０００１】
本発明は、無線通信システムに係り、具体的には、分散アンテナシステムにおける信号送受信装置に関する。
【背景技術】
【０００２】
情報産業の発達によって多様な種類の大容量のデータを高速で伝送できる技術が要求されており、そのために、既存のセル内に多数の分散アンテナを置いて、陰影地域の解消及びカバレッジ（ｃｏｖｅｒａｇｅ）の拡張のためのＤＡＳ方式が研究されている。
【０００３】
分散アンテナシステム（Ｄｉｓｔｒｉｂｕｔｅｄ  Ａｎｔｅｎｎａ  Ｓｙｓｔｅｍ：ＤＡＳ）は、単一の基地局（ｂａｓｅ  ｓｔａｔｉｏｎ）と有線または専用回線で接続された多数の分散アンテナを活用したシステムであって、単一の基地局は、基地局がサービスするセルの内部に所定距離以上離れて位置する複数個のアンテナを管理する。複数個のアンテナがセル内で所定距離以上離れて分散して位置するという点で、複数個の基地局アンテナがセル中央に集中している中央集中型アンテナシステム（ｃｅｎｔｒａｌｉｚｅｄ  ａｎｔｅｎｎａ  ｓｙｓｔｅｍ：ＣＡＳ）と区別される。ＣＡＳは、一般に、ＷＣＤＭＡ（ｗｉｄｅｂａｎｄ  ｃｏｄｅ  ｄｉｖｉｓｉｏｎ  ｍｕｌｔｉｐｌｅ  ａｃｃｅｓｓ）、ＨＳＰＡ（ｈｉｇｈ  ｓｐｅｅｄ  ｐａｃｋｅｔ  ａｃｃｅｓｓ）、ＬＴＥ（ｌｏｎｇ  ｔｅｒｍ  ｅｖｏｌｕｔｉｏｎ）／ＬＴＥ−Ａ（ｌｏｎｇｔｅｒｍ  ｅｖｏｌｕｔｉｏｎ−ａｄｖａｎｃｅｄ）、８０２．１６のようなセルラ通信システムであって、セル基盤の構造において一つの基地局に多重アンテナを設置して、ＯＬ−ＭＩＭＯ（ｏｐｅｎ  ｌｏｏｐ−ｍｕｌｔｉ  ｉｎｐｕｔ  ｍｕｌｔｉ  ｏｕｔｐｕｔ）、ＣＬ−ＳＵ−ＭＩＭＯ（ｃｌｏｓｅ  ｌｏｏｐ−ｓｉｎｇｌｅ  ｕｓｅｒ−ｍｕｌｔｉ  ｉｎｐｕｔ  ｍｕｌｔｉ  ｏｕｔｐｕｔ）、ＣＬ−ＭＵ−ＭＩＭＯ（ｃｌｏｓｅ  ｌｏｏｐ−ｍｕｌｔｉ  ｕｓｅｒ−ｍｕｌｔｉ  ｉｎｐｕｔ  ｍｕｌｔｉ  ｏｕｔｐｕｔ）、Ｍｕｌｔｉ−ＢＳ−ＭＩＭＯ（ｍｕｌｔｉ−ｂａｓｅ  ｓｔａｔｉｏｎ−ｍｕｌｔｉ  ｉｎｐｕｔ  ｍｕｌｔｉ  ｏｕｔｐｕｔ）などのような多様な多重アンテナ技法を使用するシステムである。
【０００４】
ＤＡＳは、分散アンテナのそれぞれのユニットが該当のアンテナの領域を独自に管轄するのではなく、セル中央の基地局で、セル内に位置した全ての分散アンテナ領域を管轄するという点で、フェムトセル（Ｆｅｍｔｏ  ｃｅｌｌ）と区別される。また、分散アンテナユニットが有線または専用回線で接続されているという点で、基地局と中継局（Ｒｅｍｏｔｅ  Ｓｔａｔｉｏｎ：ＲＳ）との間が無線で接続された多重ホップ方式のリレーシステム（ｒｅｌａｙ  ｓｙｓｔｅｍ）またはａｄ−ｈｏｃネットワークとも区別される。また、基地局の命令によって、分散アンテナのそれぞれがアンテナに隣接したそれぞれの端末に互いに異なる信号を伝送できるという点で、単に信号を増幅して伝送するリピーター（ｒｅｐｅａｔｅｒ）構造とも区別される。
【０００５】
このようなＤＡＳは、分散アンテナが同時に互いに異なるデータストリームを送受信して、単一または多重の移動端末（ｍｏｂｉｌｅ  ｓｔａｔｉｏｎ）を支援できるという点で、一種の多重入出力（ｍｕｌｔｉｐｌｅ  ｉｎｐｕｔ  ｍｕｌｔｉｐｌｅ  ｏｕｔｐｕｔ：ＭＩＭＯ）システムと見なすことができる。ＭＩＭＯシステムの観点で、ＤＡＳは、セル内に多様な位置に分散したアンテナにより、ＣＡＳに比べて各アンテナ別に伝送領域が縮小され、送信電力を減少させる効果を得ることができる。また、アンテナと端末との間の伝送距離の短縮を通じて経路損失を減少させ、データの高速伝送が可能なようにすることで、セルラシステムの伝送容量及び電力効率を高めることができ、セル内のユーザの位置に関係なく、ＣＡＳに比べて相対的に均一な品質の通信性能を満足させることができる。また、基地局と多数の分散アンテナとが有線または専用回線で接続されているので、信号の損失が少なく、アンテナ間の相関度及び干渉が減少して、高い信号対干渉雑音比（ｓｉｇｎａｌ  ｔｏ  ｉｎｔｅｒｆｅｒｅｎｃｅ  ｐｌｕｓ  ｎｏｉｓｅ  ｒａｔｉｏ：ＳＩＮＲ）を有することができる。
【０００６】
このように、ＤＡＳは、次世代移動通信システムにおいて基地局の増設コスト及びバックホールネットワークの維持コストを低減すると共に、サービスカバレッジの拡大とチャネル容量及びＳＩＮＲの向上のために、既存のＣＡＳと並行したり、またはＣＡＳに取って代わってセルラ通信の新しい基盤になることができる。
【発明の概要】
【発明が解決しようとする課題】
【０００７】
現在、ＩＭＴ−２０００またはＩＭＴ−ａｄｖａｎｃｅｄ  ｓｙｓｔｅｍに代表される３ＧＰＰ  ＬＴＥ／ＬＴＥ−Ａ及びＩＥＥＥ  ８０２．１６システムのようなＣＡＳ基盤の通信標準でＤＡＳを混用する場合、既存の通信規格で使用するセル−特定参照信号（Ｃｅｌｌ−ｓｐｅｃｉｆｉｃ  Ｒｅｆｅｒｅｎｃｅ  Ｓｉｇｎａｌ：ＣＲＳ）、チャネル状態情報参照信号（ｃｈａｎｎｅｌ  ｓｔａｔｅ  ｉｎｆｏｒｍａｔｉｏｎ−ｒｅｆｅｒｅｎｃｅ  ｓｉｇｎａｌ：ＣＳＩ−ＲＳ）、ミッドアンブル（ｍｉｄａｍｂｌｅ）を介してＤＡＳを運用することは困難である。
【０００８】
例えば、ＤＡＳを支援するシステムの一つのセル内に２４個のダウンリンク伝送アンテナが分散している場合、現在の通信規格上、最大使用可能な４Ｔｘまたは８Ｔｘ  ＣＲＳ、ＣＳＩ−ＲＳ、ミッドアンブルなどでは、端末で２４個のアンテナ別チャネルを区分してチャネルを推定することができない。
【０００９】
また、既存のＣＡＳのみを支援する端末の場合、ＣＡＳ及びＤＡＳを区分できないという問題も発生する。
【００１０】
したがって、本発明は、ＤＡＳにおいて複数個のアンテナを一定の個数のアンテナグループにグルーピングして、パイロットパターンの個数を制限する方法を提案する。
【００１１】
また、本発明は、ＤＡＳ支援システム、または、ＣＡＳ及びＤＡＳを混用するシステムにおいて、端末がチャネル状態測定を効率的に行うことができるように適したミッドアンブルを構成する方法を提案する。
【００１２】
本発明で達成しようとする技術的課題は、以上言及した技術的課題に制限されず、言及していない他の技術的課題は、下の記載から本発明の属する技術の分野における通常の知識を有する者に明確に理解されるだろう。
【課題を解決するための手段】
【００１３】
上述した課題を解決するための本発明の一様態の一実施例に係る分散アンテナシステム（Ｄｉｓｔｒｉｂｕｔｅｄ  Ａｎｔｅｎｎａ  Ｓｙｓｔｅｍ：ＤＡＳ）において端末が信号を受信する方法は、前記ＤＡＳに属した基地局から、前記端末または前記端末を含む端末グループに対応するローカルミッドアンブル（ｌｏｃａｌ  ｍｉｄａｍｂｌｅ）の構成情報を受信するステップと、前記基地局から、前記ローカルミッドアンブルを受信するステップとを含み、前記ローカルミッドアンブルは、前記基地局の複数のアンテナのうち、前記端末または前記端末グループに関連する一つ以上の有効伝送アンテナに対応するミッドアンブルであってもよい。
【００１４】
本発明の一実施例に係る端末の信号受信方法は、前記ローカルミッドアンブルに関する構成情報に基づいて、前記有効伝送アンテナに対応するローカルミッドアンブルを確認し、チャネル推定を行うステップをさらに含むことができる。
【００１５】
本発明の一実施例に係る端末の信号受信方法は、前記有効伝送アンテナに対するチャネル推定によるフィードバック情報を前記基地局に伝送するステップをさらに含むことができる。
【００１６】
本発明の一実施例に係る端末の信号受信方法は、前記基地局から、前記基地局に含まれた複数のアンテナのそれぞれに対応するグローバルミッドアンブル（ｇｌｏｂａｌ  ｍｉｄａｍｂｌｅ）の構成情報を受信するステップと、前記基地局から、前記グローバルミッドアンブルを受信するステップとをさらに含むことができる。
【００１７】
このとき、本発明の一実施例に係る端末の信号受信方法は、前記グローバルミッドアンブルを用いて前記基地局の複数のアンテナのそれぞれに対するチャネル推定を行うステップをさらに含むことができる。さらに、前記チャネル推定の結果に基づいて、前記端末または前記端末グループに関連する一つ以上の有効伝送アンテナに関する情報を生成するステップと、前記有効伝送アンテナに関する情報を前記基地局に伝送するステップをさらに含むことができる。
【００１８】
上述した課題を解決するための本発明の一様態の他の実施例に係る分散アンテナシステム（Ｄｉｓｔｒｉｂｕｔｅｄ  Ａｎｔｅｎｎａ  Ｓｙｓｔｅｍ：ＤＡＳ）において端末が信号を受信する方法は、前記ＤＡＳに属した基地局から、前記基地局の一つ以上のローカルアンテナグループ（ｌｏｃａｌ  ａｎｔｅｎｎａ  ｇｒｏｕｐ）に前記基地局の複数のアンテナがマッピングされるグループマッピング情報を受信するステップと、前記ローカルアンテナグループに含まれたアンテナのそれぞれに対応するミッドアンブルを受信するステップとを含むことができる。
【００１９】
このとき、前記ローカルアンテナグループのそれぞれにおいて同じインデックスを有するアンテナ（ｎ番目のアンテナ）に対するグローバルミッドアンブルは、同一であってもよい。
【００２０】
上述した課題を解決するための本発明の一様態の他の実施例に係る分散アンテナシステム（Ｄｉｓｔｒｉｂｕｔｅｄ  Ａｎｔｅｎｎａ  Ｓｙｓｔｅｍ：ＤＡＳ）において基地局が信号を伝送する方法は、端末別または端末グループ別に関連する一つ以上の有効伝送アンテナに対応するローカルミッドアンブル（ｌｏｃａｌ  ｍｉｄａｍｂｌｅ）を構成するステップと、前記端末または前記端末グループのそれぞれに対応する前記ローカルミッドアンブルを伝送するステップとを含むことができる。
【００２１】
本発明の一実施例に係る基地局の信号伝送方法は、前記基地局の複数のアンテナのそれぞれに対応するグローバルミッドアンブル（ｇｌｏｂａｌ  ｍｉｄａｍｂｌｅ）を構成して放送するステップをさらに含むことができる。
【００２２】
本発明の一実施例に係る基地局の信号伝送方法は、前記端末または前記端末グループから、前記グローバルミッドアンブルに基づいて、チャネル推定の結果によって生成された前記有効伝送アンテナに関する情報を含むフィードバック情報を受信するステップをさらに含むことができる。
【００２３】
このとき、本発明の一実施例に係る基地局の信号伝送方法は、前記フィードバック情報を参考して、前記端末または前記端末グループに関連する前記一つ以上の有効伝送アンテナを選択するステップをさらに含むことができる。また、前記端末別または前記端末グループ別に対応した前記ローカルミッドアンブルに関する構成情報を伝送するステップをさらに含むことができる。
【００２４】
前記端末または前記端末グループから、前記ローカルミッドアンブルに基づいて、前記有効伝送アンテナのそれぞれに対するチャネル推定の結果によるフィードバック情報を受信するステップをさらに含むことができる。
【００２５】
上述した課題を解決するための本発明の一様態の他の実施例に係る分散アンテナシステム（Ｄｉｓｔｒｉｂｕｔｅｄ  Ａｎｔｅｎｎａ  Ｓｙｓｔｅｍ：ＤＡＳ）において基地局が信号を伝送する方法は、前記複数のアンテナを一つ以上のローカルアンテナグループ（ｌｏｃａｌ  ａｎｔｅｎｎａ  ｇｒｏｕｐ）に割り当てるステップと、前記ローカルアンテナグループに含まれた多数のアンテナのそれぞれに対応するグローバルミッドアンブルを放送するステップとをさらに含み、各ローカルアンテナグループを基準として同じインデックスを有するアンテナ（ｎ番目のアンテナ）に対するグローバルミッドアンブルは、同一であってもよい。
【００２６】
本発明の一実施例に係る基地局の信号伝送方法は、前記複数のアンテナが前記一つ以上のローカルアンテナグループにマッピングされたことに関連するグループマッピング情報を伝送するステップをさらに含むことができる。
【００２７】
上述した課題を解決するための本発明の他の様態の一実施例に係る分散アンテナシステム（Ｄｉｓｔｒｉｂｕｔｅｄ  Ａｎｔｅｎｎａ  Ｓｙｓｔｅｍ：ＤＡＳ）の端末は、信号を受信するための受信モジュールと、前記受信モジュールを通じて前記ＤＡＳに属した基地局から受信した前記端末または前記端末を含む端末グループに対応するローカルミッドアンブル（ｌｏｃａｌ  ｍｉｄａｍｂｌｅ）に基づいてチャネル推定を行うプロセッサと、を含み、前記ローカルミッドアンブルは、前記基地局の複数のアンテナのうち、前記端末または前記端末グループに関連する一つ以上の有効伝送アンテナに対応するミッドアンブルであってもよい。
【００２８】
上述した課題を解決するための本発明の他の様態の他の実施例に係る分散アンテナシステム（Ｄｉｓｔｒｉｂｕｔｅｄ  Ａｎｔｅｎｎａ  Ｓｙｓｔｅｍ：ＤＡＳ）の基地局は、信号を伝送するための送信モジュールと、複数のアンテナのそれぞれに対応するグローバルミッドアンブル（ｇｌｏｂａｌ  ｍｉｄａｍｂｌｅ）、または、前記ＤＡＳに属した端末別または端末グループ別に連関する一つ以上の有効伝送アンテナに対応するローカルミッドアンブル（ｌｏｃａｌ  ｍｉｄａｍｂｌｅ）を構成するプロセッサと、を含み、前記送信モジュールを通じて前記グローバルミッドアンブルを前記基地局のサービス支援領域内に放送（ｂｒｏａｄｃａｓｔ）し、前記ローカルミッドアンブルを前記ＤＡＳに属した端末または端末グループに伝送することができる。
【００２９】
上述した本発明の実施例において、アンテナまたはアンテナグループは、ＬＴＥ／ＬＴＥ−Ａでアンテナポートとして混用されることができる。
【００３０】
上記の各実施形態は、本発明の好適な実施例の一部に過ぎず、本願発明の技術的特徴が反映された様々な実施例が、当該技術の分野における通常の知識を有する者により、以下に詳述する本発明の詳細な説明に基づいて導出され、理解されるであろう。
【発明の効果】
【００３１】
上述した本発明の実施例によれば、ＤＡＳを支援するシステムで使用するパイロットを、既存のシステムで使用するパイロットと区分されるように構成して、ＤＡＳ端末でチャネル推定を行うように支援することができる。
【００３２】
本発明の付加的な長所、目的及び特徴は、以下の説明を通じて、または当業者が以下の説明に基づいて本発明を実施することによって容易に分かる。また、本発明は、当業者が以下の説明に基づいて本発明を実施することによって予測しない長所を有することもできる。
本発明に関する理解を助けるために詳細な説明の一部として含まれる添付図面は、本発明に対する実施例を提供し、詳細な説明と共に本発明の技術的思想を説明する。
【図面の簡単な説明】
【００３３】
【図１】本発明が適用されるＤＡＳ構造の一例を示す図である。
【図２】本発明が適用されるＤＡＳ構造の他の例を示す図である。
【図３】本発明の一実施例に係るＤＡＳにおいて基地局と端末間の信号伝送過程の一例を示す図である。
【図４】本発明の一実施例に係るＤＡＳにおいて基地局と端末間の信号伝送過程の他の例を示す図である。
【図５】本発明の一実施例に係るＤＡＳにおいて基地局が放送するパイロット信号が含まれたフレーム構造の一例を示す図である。
【図６】本発明の一実施例に係るＤＡＳにおいて基地局と端末間の信号伝送過程のさらに他の例を示す図である。
【図７】本発明の一実施例に係るＤＡＳにおいて基地局が放送するパイロット信号が含まれた無線リソース構造の一例を示す図である。
【図８】本発明の実施例が行われうる基地局及び端末を説明するためのブロック構成図である。
【発明を実施するための形態】
【００３４】
以下、本発明に係る好適な実施形態を添付の図面を参照して詳細に説明する。添付の図面と共に以下に開示される詳細な説明は、本発明の例示的な実施形態を説明するためのもので、本発明が実施されうる唯一の実施形態を示すためのものではない。以下の詳細な説明は、本発明の完全な理解を提供するために具体的な細部事項を含む。しかし、当業者は、本発明がこのような具体的な細部事項なしにも実施可能であることが分る。例えば、以下の本発明に関連する詳細な説明は、便宜上、ＩＥＥＥ  ８０２．１６システムを用いて説明されるが、これは例示であって、３ＧＰＰ（３ｒｄ  Ｇｅｎｅｒａｔｉｏｎ  Ｐａｒｔｎｅｒｓｈｉｐ  Ｐｒｏｊｅｃｔ）システムを含んだ様々な無線通信システムにも適用可能である。
【００３５】
場合によって、本発明の概念が曖昧になることを避けるために、公知の構造及び装置は省略されたり、各構造及び装置の核心機能を中心にしたブロック図の形式で図示されてもよい。また、本明細書全体において同一の構成要素については同一の図面符号を使用して説明する。
【００３６】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）など、移動又は固定型のユーザ端の機器を総称するものと仮定する。また、基地局は、Ｎｏｄｅ  Ｂ、ｅＮｏｄｅ  Ｂ、Ｂａｓｅ  Ｓｔａｔｉｏｎ、Ｐｒｏｃｅｓｓｉｎｇ  Ｓｅｒｖｅｒ（ＰＳ）など、端末と通信するネットワーク端の任意のノードを総称するものと仮定する。
【００３７】
図１は、本発明が適用されるＤＡＳ構造の一例を示す図である。
【００３８】
図１に示す基地局は、ＣＡＳによってセル中央に位置する複数個のアンテナを含み、説明の簡明さのために、ＤＡＳアンテナに対してのみ示した。セル内に位置する単一基地局と有線で接続された多数のアンテナが、セル内の多様な位置に分散しているＤＡＳは、アンテナの数及び位置によって多様に具現可能である。例えば、多数のアンテナがセル内で一定の間隔で分布したり、または特定場所に２つ以上のアンテナが密集して位置してもよい。ＤＡＳでは、分散アンテナがセル内にどのような形態で位置されても、各アンテナのカバレッジ（ｃｏｖｅｒａｇｅ）がオーバーラップする場合に、ランク（ｒａｎｋ）２以上の信号伝送が可能になる。ランクは、一つ以上のアンテナを通じて同時に伝送できるデータストリームの数を示す。
【００３９】
図１を参照すると、一つのセル領域をサービスする一つの基地局が総８個のアンテナと有線で接続されており、各アンテナは、セル内で所定距離以上をもって一定の間隔または多様な間隔で位置することができる。ＤＡＳでは、基地局に接続されたアンテナをいずれも使用する必要はなく、各アンテナの信号伝送の範囲、隣接アンテナとのカバレッジがオーバーラップする程度と干渉効果、及びアンテナと移動端末との間の距離などに基づいて適正数のアンテナを用いることができる。
【００４０】
例えば、図１に示すように、セル内に３個の端末（ＵＥ １乃至ＵＥ ３）が位置し、ＵＥ １がアンテナ１，２，７，８の信号伝送範囲内に位置する場合、ＵＥ １は、基地局アンテナ１，２，７，８のうち一つ以上から信号を受けることができる。反面、ＵＥ １の立場でアンテナ３，４，５，６は、アンテナから端末までの間隔が大きいため、経路損失が発生する可能性が高く、電力消費も増加し、アンテナ３，４，５，６から伝送される信号は無視する程度に小さい値であり得る。
【００４１】
他の例として、ＵＥ ２は、アンテナ６，７の信号伝送範囲がオーバーラップする部分に位置して、アンテナ６，７を除いては、他のアンテナを通じて伝送される信号は無視する程度に非常に小さいか又は弱く、ＵＥ ３は、アンテナ３の隣接距離内に位置して、アンテナ３を通じて伝送される信号を独占的に受信することができる。
【００４２】
図１に示すように、ＤＡＳでは、セル内で多数のアンテナの位置が遠く離れた場合、ＭＩＭＯシステムのように動作する。基地局は、アンテナ１，２，７，８のうち一つ以上で構成されたアンテナグループ１を通じてＵＥ １と、アンテナ６，７のうち一つ以上で構成されたアンテナグループ２はＵＥ ２と、アンテナ３はＵＥ ３と同時に通信することができる。このとき、アンテナ４，５はそれぞれＵＥ ３とＵＥ ２のために送信したり、または消えた状態で運営されてもよい。
【００４３】
すなわち、ＤＡＳシステムは、単一ユーザ／多数ユーザと通信する時、端末別に送信するデータストリームの数が多様に存在することができ、基地局がサービスするセル内に位置する移動端末機のそれぞれに割り当てられるアンテナまたはアンテナグループも多様に存在することができる。セル内に位置する移動端末機の位置場所によって、該当の端末機と通信を行うアンテナまたはアンテナグループは特定されることができるが、セル内での移動端末機の移動によって適応的に変動可能である。
【００４４】
図２は、本発明が適用されるＤＡＳ構造の他の例を示す図で、具体的には、従来のセル基盤の多重アンテナを使用する中央集中型アンテナシステムにＤＡＳを適用する場合のシステム構造の一例を示す。
【００４５】
図２を参照すると、基地局がサービスを提供するセル領域内には、基地局と隣接するセル領域のセンター部分に、セルの半径に比べてアンテナの間隔が非常に小さくて経路損失などの効果が似ている複数個の中央集中型アンテナ（Ｃｅｎｔｒａｌｉｚｅｄ  Ａｎｔｅｎｎａ：ＣＡ）が位置することができる。また、前記セルの全般的な領域内には、ＣＡよりもアンテナの間隔が広くて経路損失などの効果がアンテナ別に異なる複数個の分散アンテナ（Ｄｉｓｔｒｉｂｕｔｅｄ  Ａｎｔｅｎｎａ：ＤＡ）が所定距離以上の間隔で離れて位置することができる。
【００４６】
ＤＡは、基地局から一つの有線で接続された一つ以上のアンテナで構成され、ＤＡＳ用アンテナノード（ｎｏｄｅ）またはアンテナノードと同じ意味として使用可能である。すなわち、アンテナノードは、一つ以上のアンテナを含むもので、各アンテナノードを構成する一つ以上のアンテナも有線で接続されている。一つ以上のＤＡは、一つのＤＡグループを形成し、ＤＡゾーン（ｚｏｎｅ）を形成する。
【００４７】
ＤＡグループとは、一つ以上のＤＡを含むもので、端末の位置または受信状態などによって変動的に構成されたり、またはＭＩＭＯで使用する最大アンテナの個数で固定的に構成されてもよい。ＩＥＥＥ  ８０２．１６ｍに従う場合、最大アンテナの個数は、８Ｔｘになる。ＤＡゾーンとは、ＤＡグループを形成するアンテナが信号を伝送したり受信することができる範囲と定義され、図２に示すセル領域はｎ個のＤＡゾーンを含む。ＤＡゾーンに属した端末は、ＤＡゾーンを構成するＤＡのうち一つ以上と通信を行うことができ、基地局は、ＤＡゾーンに属した端末に信号を伝送する時、ＤＡ及びＣＡを同時に用いて送信レートを高めることができる。
【００４８】
図２は、既存の多重アンテナを使用するＣＡＳ構造において、基地局と端末がＤＡＳを利用できるように、ＤＡＳを含むＣＡＳを示したもので、ＣＡとＤＡの位置は、説明の簡明さのために区分可能なように示したが、これに限定されず、具現形態によって多様に位置させることができる。
【００４９】
このように、ＤＡＳでは、ＳＵ／ＭＵ  ＭＩＭＯ通信時に、端末当たりデータストリームの数が多様に存在することができ、端末別に特定アンテナまたはアンテナグループを割り当てることができ、該当の端末に割り当てられる特定アンテナまたはアンテナグループはリアルタイムに変更されることができる。
【００５０】
本明細書において、ＤＡＳの伝送アンテナは、上述した一つ以上の分散アンテナまたはアンテナグループを指してもよく、または上述した一つ以上のＤＡまたはＤＡグループと混用されてもよい。
【００５１】
また、ＬＴＥ／ＬＴＥ−ＡシステムでＤＡＳを支援する場合、図１及び図２で詳述したアンテナ／アンテナグループまたはＤＡ／ＤＡグループは、一つ以上のアンテナポート（ａｎｔｅｎｎａ  ｐｏｒｔ）を称するものとして用いられてもよい。以下、本発明の実施例で、アンテナまたはパイロットパターンはアンテナポートに代替可能である。
【００５２】
本発明は、ＤＡＳの特性上、複数個のアンテナを含む基地局で端末または端末グループ別に有効伝送アンテナを選択する方法に関する。具体的には、本発明は、ＤＡＳシステムでＤＡＳを支援する端末に対してのみサービスを提供する場合と、ＣＡＳ及びＤＡＳうち少なくとも一つを支援する端末に対してサービスを提供する場合とに区分してシステムを運用することができる。
【００５３】
１．第１実施例（ＤＡＳ支援端末に対するサービス支援）
【００５４】
本発明の一実施例に係るＤＡＳにおいてＤＡＳを支援する端末に対してのみサービスを提供する場合、端末の立場では、ＣＡＳ及びＤＡＳを区分する必要はない。
【００５５】
したがって、本発明の一実施例に係るＤＡＳ基地局は、既存のＣＡＳ基盤の通信規格で使用するアンテナ別パイロットパターンを同一に適用することができる。例えば、最大４Ｔｘまたは８Ｔｘまで支援する現在のＬＴＥ／ＬＴＥ−Ａ、ＩＥＥＥ  ８０２．１６システムのＣＲＳ、ＣＳＩ−ＲＳ、ミッドアンブルなどのパイロットパターンを同一に使用することができる。
【００５６】
ただし、ＤＡＳの特性上、基地局のアンテナの個数は９個以上であってもよいので、各アンテナ別パイロットパターンを独立に構成する場合、パイロット信号に割り当てられるリソースが増加し、パイロットオーバーヘッドが増加する。
【００５７】
図３は、本発明の一実施例に係るＤＡＳにおいて、基地局と端末間の信号伝送過程の一例を示す図であり、図３に示された端末は、ＤＡＳを支援する端末または端末グループを指してもよい。
【００５８】
図３を参照すると、基地局は、複数のアンテナを一定の個数のローカルアンテナグループ（ｌｏｃａｌ  ａｎｔｅｎｎａ  ｇｒｏｕｐ）にグルーピングする動作を行う（Ｓ３０１）。各ローカルアンテナグループは、既存の通信規格を適用できるように最大４Ｔｘまたは８Ｔｘのアンテナを含むように構成できる。すなわち、基地局は、一つのグループに属したアンテナに対して独立したパイロットパターンを割り当てることができる。
【００５９】
ローカルアンテナグルーピングを行った基地局は、セル内に進入した端末に対して、アンテナの各ローカルアンテナグループへのマッピング規則などに関する情報を放送する（Ｓ３０２）。
【００６０】
その後、基地局は、ＣＲＳ、ＣＳＩ―ＲＳ、ミッドアンブルのようなダウンリンク信号を端末に伝送する（Ｓ３０３）。このとき、基地局は、ローカルアンテナグループ単位でパイロットパターンセットを割り当て、パイロットパターンセットは、一つのアンテナグループに属した多数のアンテナは独立したパイロットパターンを用いるように構成され得る。例えば、２４個のダウンリンク伝送アンテナを備えたＤＡＳ基地局で、一つのローカルアンテナグループを８個のアンテナで構成して、総３個のアンテナグループを形成し、各アンテナグループを通じて８Ｔｘミッドアンブルを伝送するように構成できる。
【００６１】
基地局からダウンリンク信号を受信した端末は、割り当てられたパイロットパターンによって各アンテナ別チャネル測定を行う（Ｓ３０４）。このステップで、端末は、各アンテナを通じて伝送される信号の受信強度などに基づいて、該当の端末が探知できる基地局アンテナに関する情報及びチャネル品質情報（ｃｈａｎｎｅｌ  ｑｕａｌｉｔｙ  ｉｎｆｏｒｍａｔｉｏｎ）などを生成できる。
【００６２】
その後、端末は、生成されたフィードバック情報を基地局に伝送する（Ｓ３０５）。
【００６３】
本発明の一実施例によって複数の基地局アンテナをローカルアンテナグループにグルーピングし、グループ単位でパイロットパターンセットを割り当てる場合、グループ単位でパイロットパターンセットを再使用（ｒｅｕｓｅ）できるので、各アンテナ別に独立したパイロットパターンを割り当てる場合よりもパイロットオーバーヘッドを減少させることができる。
【００６４】
このとき、グループ間に同じパイロットパターンを使用するアンテナが存在することによって、各ローカルアンテナグループ間の干渉の影響を減らすために、周波数分割多重化（Ｆｒｅｑｕｅｎｃｙ  Ｄｉｖｉｓｉｏｎ  Ｍｕｌｔｉｐｌｅｘｉｎｇ：ＦＤＭ）、時間分割方式（Ｔｉｍｅ  Ｄｉｖｉｓｉｏｎ  Ｍｕｌｔｉｐｌｅｘｉｎｇ：ＴＤＭ）、コード分割方式（Ｃｏｄｅ  Ｄｉｖｉｓｉｏｎ  Ｍｕｌｔｉｐｌｅｘｉｎｇ：ＣＤＭ）などのマルチプレクシング技法を適用できる。
【００６５】
例えば、ＦＤＭ方式を用いて、基地局で使用する周波数の全帯域を、生成されたローカルアンテナグループの数（Ｎ）によってＮ個の周波数サブ帯域に分割し、第１ローカルアンテナグループは、第１周波数サブ帯域を使用し、第２ローカルアンテナグループは、第２周波数サブ帯域を使用するように割り当てることができる。したがって、同じパイロットパターンを使用する各ローカルアンテナグループのｎ番目のアンテナは、同じパイロットパターンを用いるとしても、パイロット信号間の干渉の影響を緩和することができる。
【００６６】
他の例として、ＴＤＭ方式を用いてミッドアンブルを伝送する場合、第１サブフレームで伝送されるミッドアンブルは、第１ローカルアンテナグループに割り当て、第２サブフレームで伝送されるミッドアンブルは、第２ローカルアンテナグループに割り当てる方式で構成できる。
【００６７】
このように、本発明の一実施例に係るローカルアンテナグループは、それぞれ互いに異なるアンテナを含むだけでなく、同じアンテナを重複して含むことができる。
【００６８】
２．第２実施例（レガシー端末及びＤＡＳ支援端末に対するサービス支援）
【００６９】
本発明の一実施例に係るＤＡＳにおいてＣＡＳ基盤の既存の端末及びＤＡＳを支援する端末両方にサービスを支援する場合、端末の立場ではＣＡＳ及びＤＡＳを区分する必要がある。
【００７０】
したがって、本発明の他の実施例では、既存のＣＡＳを支援する端末に対するパイロット信号と、ＤＡＳを支援する端末に対するパイロット信号とを区分して構成する方法を提案する。
【００７１】
パイロット信号には、セル−特定参照信号（Ｃｅｌｌ−ｓｐｅｃｉｆｉｃ  Ｒｅｆｅｒｅｎｃｅ  Ｓｉｇｎａｌ：ＣＲＳ）、チャネル状態情報参照信号（ｃｈａｎｎｅｌ  ｓｔａｔｅ  ｉｎｆｏｒｍａｔｉｏｎ−ｒｅｆｅｒｅｎｃｅ  ｓｉｇｎａｌ：ＣＳＩ−ＲＳ）、ミッドアンブル（ｍｉｄａｍｂｌｅ）などが含まれる。そのうちミッドアンブルは、チャネル推定性能を向上させるためにデータシンボルの間に挿入される同期パターンであって、通信過程において、各アンテナ別にシンボルを伝送する時にチャネル推定機能を補強するのに用いられる。ミッドアンブルは、ダウンリンクサブフレームを通じて伝送されるデータシンボルに周期的または非周期的に挿入されることができる。
【００７２】
本発明の一実施例に係るＤＡＳにおいて、既存のＣＡＳ支援端末に対するパイロット信号と別途に、ＤＡＳ支援端末に対するパイロット信号をさらに構成することができ、ＤＡＳ支援端末に対するパイロット信号は、グローバルミッドアンブル（ｇｌｏｂａｌ  ｍｉｄａｍｂｌｅ）またはグローバルチャネル状態情報−参照信号（ｇｌｏｂａｌ  ＣＳＩ−ＲＳ）と称することができる。以下、本発明の実施例では、ＤＡＳ支援端末に対するパイロット信号として、グローバルミッドアンブルを例に挙げて説明する。
【００７３】
以下では、説明の便宜のために、現在の３ＧＰＰ  ＬＴＥ／ＬＴＥ−Ａ及びＩＥＥＥ  ８０２．１６システムのＣＡＳ基盤のシステムをレガシー（ｌｅｇａｃｙ）システムと称し、ＣＡＳを支援する端末をレガシー端末と称する。
【００７４】
図４は、本発明の一実施例に係るＤＡＳにおいて、基地局と端末間の信号伝送過程の他の例を示す図で、図４に示された端末は、ＤＡＳを支援する端末または端末グループを一例とする。
【００７５】
図４を参照すると、基地局は、ＤＡＳセル内に進入した全ての端末または端末グループに対してグローバルミッドアンブルに関する構成情報を含む放送情報を放送する（Ｓ４０１）。前記放送情報は、該当のセルがＤＡＳを支援するＤＡＳセルという情報、及びＤＡＳシステムに関する設定情報などをさらに含むことができる。
【００７６】
基地局は、セル内の全ての端末または端末グループにグローバルミッドアンブルを放送する（Ｓ４０２）。グローバルミッドアンブルは、ＤＡＳ基地局アンテナ別に割り当てられ、互いに異なるリソースを通じて伝送されることによって、これを受信した端末の立場では、グローバルミッドアンブルの伝送順序またはシンボル上での位置などを通じて各アンテナを区別し、アンテナインデックス情報を導出することができる。
【００７７】
端末または端末グループは、受信したグローバルミッドアンブルを用いてチャネル推定を行うだけでなく、受信強度などを基準として基地局の全体アンテナのうち該当の端末または端末グループで探索できる一つ以上の有効アンテナに関する情報を生成することができる（Ｓ４０３）。
【００７８】
そして、有効アンテナに関する情報を含むフィードバック情報を基地局に伝送する（Ｓ４０４）。有効アンテナに関する情報は、各アンテナ別受信強度、各アンテナ別受信強度を基準として一定の基準によって該当の端末または端末グループに好まれるアンテナに関する情報を含むことができる。
【００７９】
フィードバック情報を受信した基地局は、フィードバック情報に基づいて、端末から伝送されたアップリンク信号測定による結果を参照して、該当の端末または端末グループとの通信に使用する有効アンテナまたはアンテナグループを決定することができる（Ｓ４０５）。
【００８０】
そして、決定された有効アンテナまたはアンテナグループに関する情報を含むＤＡＳ制御情報を、端末または端末グループに伝送することができる（Ｓ４０６）。このとき、有効アンテナまたはアンテナグループに関する情報は、アンテナの個数及び／又はインデックス情報を含むことができる。ここで、アンテナの個数は、物理アンテナ（ｐｈｙｓｉｃａｌ  ａｎｔｅｎｎａ）または論理アンテナ（ｌｏｇｉｃａｌ  ａｎｔｅｎｎａ）またはアンテナポート（ａｎｔｅｎｎａ  ｐｏｒｔ）に対する個数として混用されることができる。
【００８１】
その後、有効アンテナに関する情報を獲得した端末または端末グループは、閉ループ多重入力多重出力（Ｃｌｏｓｅｄ  Ｌｏｏｐ  ＭＩＭＯ：ＣＬ−ＭＩＭＯ）動作を行うために、所定の周期によって伝送されるグローバルミッドアンブルを通じて該当の端末または端末グループに有効なアンテナのチャネル情報を獲得することができる。
【００８２】
例えば、ＤＡＳ基地局が２４個の分散アンテナを含む場合、各アンテナを支援するグローバルミッドアンブルを２４個のタイプに構成するとき、第１端末に対する有効アンテナがＡｎｔ２，Ａｎｔ３であれば、各アンテナのパイロットパターンに該当するグローバルミッドアンブルを用いて有効アンテナのチャネル情報を獲得することができる。
【００８３】
上述した本発明の一実施例に係るグローバルミッドアンブルは、基地局の全てのアンテナに対して構成され、グローバルミッドアンブルを受信した端末または端末グループでは、各アンテナ別チャネル推定を行い、それによって、各端末または端末グループに対する有効アンテナに対するチャネル情報を獲得することができる。
【００８４】
一方、図４の実施例において、基地局は、セル内に位置するレガシー端末がチャネル情報獲得時に利用できるミッドアンブル、ＣＳＩ−ＲＳなどのようなパイロット信号をＣＡＳアンテナ別に構成して、上述したグローバルミッドアンブルと同時に又は別途の伝送周期によって放送することができる。
【００８５】
図５は、本発明の一実施例に係るＤＡＳにおいて基地局が放送するパイロット信号が含まれたフレーム構造の一例を示すもので、システムは、中央に位置したアンテナノードに４個のアンテナ（ＣＡ：Ｃｅｎｔｒａｌ  Ａｎｔｅｎｎａ）と、一定間隔以上離れた４個の分散アンテナ（ＤＡ：Ｄｉｓｔｒｉｂｕｔｅｄ  Ａｎｔｅｎｎａ）とからなり、総８個の送信アンテナを有するＤＡＳを例に挙げて説明する。この場合、レガシー端末は、該当のシステムを４個のアンテナからなるＣＡＳとして認識し、ＤＡＳ端末は、該当のシステムを総８個のアンテナからなるＤＡＳとして認識することができる。
【００８６】
基地局は、レガシー端末及びＤＡＳ端末を支援するためにミッドアンブルを構成しながら、既存のミッドアンブル及びグローバルミッドアンブルを各アンテナ別に構成することができる。
【００８７】
図５で、Ｍ ｘは、レガシー端末のために伝送するｘ番目のアンテナに対するミッドアンブルを示し、ＧＭ ｘは、ＤＡＳ端末のために伝送するｘ番目のアンテナに対するグローバルミッドアンブルを示す。Ｍ１，Ｍ２，Ｍ３，Ｍ４の位置では、４個のＣＡでそれぞれミッドアンブルが伝送され、ＧＭ１，ＧＭ２，ＧＭ３，ＧＭ４では、４個のＤＡでそれぞれミッドアンブルが伝送される。
【００８８】
レガシー端末は、システムを４個の送信アンテナを有するシステムとして認識し、Ｍ１，Ｍ２，Ｍ３，Ｍ４の位置でパイロット信号を受信することができる。反面、ＤＡＳ端末は、Ｍ ｘの位置だけでなくＧＭ ｘの位置でもパイロットをリーディング（ｒｅａｄｉｎｇ）できるので、総８個のパイロット信号を受信することができる。
【００８９】
各アンテナに対するミッドアンブルＭ及びグローバルミッドアンブルＧＭは、所定の周期によって伝送され、それぞれの伝送周期は、同一または異なっても良い。
【００９０】
このように、基地局が、ＤＡＳセル内に位置する分散アンテナの数だけグローバルミッドアンブルを構成する場合、分散アンテナ数の増加によってグローバルミッドアンブルのオーバーヘッドが増加する。グローバルミッドアンブルのオーバーヘッドを一定の水準に維持しようとする場合、グローバルミッドアンブルの伝送周期を相対的に長く設定できるが、パイロット信号の密度（ｄｅｎｓｉｔｙ）が低くなり、チャネル推定の性能が低下することがある。これによって、ＣＬ−ＭＩＭＯ動作などの性能も低下することがある。
【００９１】
したがって、上述した本発明の第１実施例によって複数の基地局アンテナを一定の個数のアンテナを含むローカルアンテナグループで構成して、アンテナグループ単位で一定の個数のパイロットパターンを割り当てることができる。
【００９２】
すなわち、分散アンテナのそれぞれに対して独立したグローバルミッドアンブルを使用するのではなく、アンテナグループを基準として各グループに含まれた多数のアンテナのそれぞれに対してグローバルミッドアンブルを構成できる。例えば、分散アンテナが総２４個である場合、隣接した８個の分散アンテナを含むローカルアンテナグループを３個に形成し、１グループに８個の独立したグローバルミッドアンブルを使用し、他のグループも同様に、８個のグローバルミッドアンブルを重複使用することによって、８個のパイロットパターンのみを使用するグローバルミッドアンブルを構成できる。
【００９３】
または、本発明の他の実施例では、ＣＬ−ＭＩＭＯ動作などの性能の低下を最小化するために、端末または端末グループ別に、ミッドアンブルまたはＣＳＩ−ＲＳをさらに構成する方法を提案する。
【００９４】
本発明の一実施例に係るＤＡＳにおいてＤＡＳ支援端末または端末グループ別に追加されるパイロット信号としてミッドアンブルまたはＣＳＩ−ＲＳを構成することができる。以下、本発明の実施例では、ＤＡＳを支援する端末または端末グループ別に特定されるミッドアンブルを、「ローカルミッドアンブル（ｌｏｃａｌ  ｍｉｄａｍｂｌｅ）」と称する。
【００９５】
グローバルミッドアンブルは、ＤＡＳセル内に位置する全ての端末に対して伝送する反面、ローカルミッドアンブルは、特定端末または端末グループ別に区分されるように構成されるので、ローカルミッドアンブルは、グローバルミッドアンブルに比べて相対的にアンテナ別パイロット密度が高い。
【００９６】
図６は、本発明の一実施例に係るＤＡＳにおいて、基地局と端末間の信号伝送過程のさらに他の例を示す図で、図６に示された端末は、ＤＡＳを支援する端末または端末グループを一例とする。
【００９７】
図６を参照すると、基地局は、ＤＡＳセル内に位置する端末または端末グループ別に有効アンテナを選択する（Ｓ６０１）。このとき、有効アンテナの選択は、図４で詳述した本発明の実施例によってグローバルミッドアンブルを通じて端末で有効アンテナ関連情報を生成してフィードバック伝送すると、フィードバック情報に基づいて決定することができる。または、これとは異なり、各端末から伝送されたアップリンク信号の測定を通じて基地局で任意的に決定してもよい。
【００９８】
そして、基地局は、ＤＡＳセル内に位置する端末または端末グループ別に構成されたローカルミッドアンブルに関する構成情報を、該当の端末または端末グループに伝送する（Ｓ６０２）。端末または端末グループ別に特定されるローカルミッドアンブルは、該当の端末または端末グループに特定される有効アンテナに対して特定されるミッドアンブルと見なすことができる。すなわち、ＤＡＳにおいて基地局は各端末または端末グループ別に有効なダウンリンク伝送アンテナを特定することによって、端末または端末グループ別に特定されるローカルミッドアンブルを伝送することができる。
【００９９】
このとき、他の端末または端末グループに対するローカルミッドアンブルによって生じうる干渉の影響を緩和するために、ローカルミッドアンブルに関する構成情報は、他の端末または端末グループに対するローカルミッドアンブル情報もさらに含むことができる。端末は、ローカルミッドアンブル構成情報に基づいて自分に該当するローカルミッドアンブルを読み、他の端末に対応するローカルミッドアンブルは読まないことが可能なので、様々なタイプのローカルミッドアンブルを同一のリソース領域で伝送することができる。
【０１００】
例えば、第１端末に対するデータと第２端末に対するデータが、それぞれ異なるアンテナの同一時間及び周波数リソースを用いてオーバーレイ（ｏｖｅｒｌａｙ）形態で構成される場合、第１端末は、第２端末に対するローカルミッドアンブル構成情報に基づいて、データの受信時に干渉を除去することができる。
【０１０１】
また、ローカルミッドアンブルに関する構成情報は、端末または端末グループ別に特定される有効アンテナに関する情報として、有効アンテナの個数及び／又はインデックス情報をさらに含むことができる。
【０１０２】
その後、基地局は、ローカルミッドアンブル構成情報によるローカルミッドアンブルを各端末または端末グループ別に伝送する（Ｓ６０３）。
【０１０３】
端末または端末グループは、受信したローカルミッドアンブルに基づいてチャネル推定を行い（Ｓ６０４）、チャネル測定の結果をフィードバック伝送する（Ｓ６０５）。
【０１０４】
上述した本発明の実施例によれば、基地局は、ＤＡＳ支援端末に対してはグローバルミッドアンブル及びローカルミッドアンブルを別途に構成することができ、レガシー端末用パイロット信号は、既存に使用していたＣＲＳ、ＣＳＩ−ＲＳ、ミッドアンブルなどを用いることができる。
【０１０５】
図７は、本発明の一実施例に係るＤＡＳで基地局が放送するパイロット信号が含まれた無線リソース構造の一例を示す。
【０１０６】
図７の無線リソースは、周波数軸及び時間軸において複数のリソース領域で構成され、それぞれのブロックは、ミッドアンブルが伝送されるリソース単位を意味する。このようなリソース単位としては、サブフレーム、所定個数の副搬送波＊所定個数の伝送シンボル（例えば、ＯＦＤＭシンボル）を有するリソースユニット（Ｒｅｓｏｕｒｃｅ  Ｕｎｉｔ）、リソースブロック（Ｒｅｓｏｕｒｃｅ  Ｂｌｏｃｋ）、サブバンド、一つの副搬送波×一つの伝送シンボルと定義されるリソース要素（Ｒｅｓｏｕｒｃｅ  Ｅｌｅｍｅｎｔ：ＲＥ）を含むことができる。
【０１０７】
図７で、各ミッドアンブルが伝送されるリソース単位を一つのＯＦＤＭシンボルと定義することができ、一つのサブフレームは８個のＯＦＤＭシンボルを含む。このとき、該当の無線リソースを使用するシステムは、ＤＡＳ基地局が１２個の分散アンテナを含むと仮定する。
【０１０８】
本発明の一実施例に係る基地局は、上述した実施例によって各分散アンテナ別に１２個のグローバルミッドアンブル（ＧＭ）を構成し、セル領域内に放送することができる。このとき、分散アンテナ個数の増加によってパイロット信号の密度が減少し、端末でアンテナ別チャネル推定性能が低下しないようにするために、２個のサブフレームを基準に６個のアンテナに該当するグローバルミッドアンブル（ＧＭ１〜６、ＧＭ７〜１２）を放送することができる。すなわち、時間ドメイン上で、ＧＭ１〜６は最初の２つのサブフレーム（第１フレーム）を通じて伝送され、次のＧＭ７〜１２は後続する２つのサブフレーム（第２フレーム）を通じて伝送される。
【０１０９】
また、基地局は、上述した実施例によって各端末または端末グループ別にローカルミッドアンブルを構成し、グローバルミッドアンブルが伝送される周期であるとき伝送することができる。
【０１１０】
図７を参照すると、端末１（ＵＥ １）には、有効伝送アンテナが２個割り当てられ、端末２（ＵＥ ２）、端末３（ＵＥ ３）及び端末５（ＵＥ ５）には、有効伝送アンテナが１個割り当てられ、端末４（ＵＥ ４）には、有効伝送アンテナが４個割り当てられると仮定する。各端末は、関連する有効伝送アンテナの個数に対応するローカルミッドアンブルを任意のリソース領域で受信することができる。例えば、端末１の場合、２個の有効伝送アンテナに対応する２タイプのローカルミッドアンブルに関する情報を受信した後、該当の情報に基づいて端末１に対応するローカルミッドアンブルを読むことができる。
【０１１１】
図７では、各端末に対応するローカルミッドアンブルを互いに異なる周波数／時間リソース領域で伝送するように構成しているが、基地局アンテナの物理的な距離によって互いに及ぼす信号の強度が微々たる場合、基地局は、それぞれ異なるアンテナの同一リソース領域で、それぞれ異なる端末あるいは端末グループのためのローカルミッドアンブルを伝送してもよい。このような方式を用いれば、ローカルミッドアンブルによるオーバーヘッドを減らすことができる。例えば、端末２に対するローカルミッドアンブルが伝送されるＲＥで、端末３に対するローカルミッドアンブルを共に伝送することができる。
【０１１２】
このように、上述した実施例によれば、基地局は、セル内に位置するアンテナによって既存のミッドアンブル及びグローバルミッドアンブルまたはローカルミッドアンブルを構成することができる。例えば、セル中央に８ＴｘのＣＡが位置し、中央以外の領域に６ＴｘのＤＡが追加された、ＣＡＳ及びＤＡＳを混用するシステムのセルは、１４Ｔｘ  ＤＡＳセルとして動作し、基地局は、レガシー端末を支援するためにセル中央に位置した８個のＣＡＳアンテナに対する既存のパイロット信号を割り当てることができる。そして、ＤＡＳ支援端末に対しては、セル内に位置する総１４個のアンテナに対するグローバルミッドアンブル又は／及びローカルミッドアンブルを別途に構成することができる。この場合、レガシー端末及びＤＡＳ支援端末は、それぞれ自分に該当するパイロット信号を通じてアンテナ別チャネル推定を行うことができる。
【０１１３】
一方、これとは異なり、本発明の一実施例によってＣＡＳ及びＤＡＳを混用するシステムにおいてパイロットオーバーヘッドの増加を最小化するために、レガシー端末に対するパイロット信号の一部を、グローバルミッドアンブルまたはローカルミッドアンブルとして再使用（ｒｅｕｓｅ）することができる。
【０１１４】
例えば、前記実施例でＣＡＳ基盤の８Ｔｘ及びＤＡＳ基盤の６Ｔｘを使用して１４Ｔｘ  ＤＡＳセルとして動作するシステム環境において、本発明の一実施例に係る基地局は、ＣＡＳアンテナ８個に対してはレガシー端末のための８Ｔｘパイロットを割り当てる。そして、残りの６個のＤＡＳアンテナに対してはグローバルミッドアンブルを割り当て、ローカルミッドアンブルを追加で割り当てることができる。すなわち、１４個のアンテナ全部に対するグローバルミッドアンブルを構成するのではなく、既存の８個のパイロット信号を再使用しながら、追加された６個のアンテナに対してのみグローバルミッドアンブルを構成することができる。
【０１１５】
この場合、ＤＡＳ支援端末は、既存のレガシー端末のための８個のパイロットパターンから、セル中央の８個のアンテナに対するチャネルを推定し、新しく追加された６個のグローバルミッドアンブルパターンから、追加された分散アンテナに対するチャネルを推定できる。一方、レガシー端末は、該当のセルを８Ｔｘ  ＣＡＳセルとして認識し、既存のレガシー端末用８Ｔｘパイロットから各アンテナ別チャネルを推定することができる。
【０１１６】
上述した本発明の実施例が行われうるＤＡＳに属した基地局及び端末について、図８を参照して説明する。
【０１１７】
図８は、本発明の実施例が行われうる基地局及び端末を説明するためのブロック構成図である。
【０１１８】
端末は、アップリンクでは送信装置として動作し、ダウンリンクでは受信装置として動作することができる。また、基地局は、アップリンクでは受信装置として動作し、ダウンリンクでは送信装置として動作することができる。すなわち、端末及び基地局は、情報またはデータの伝送のために送信装置及び受信装置を含むことができる。
【０１１９】
送信装置及び受信装置は、本発明の実施例を行うためのプロセッサ、モジュール、部分及び／又は手段などを含むことができる。特に、送信装置及び受信装置は、メッセージを暗号化するためのモジュール（手段）、暗号化されたメッセージを解析するためのモジュール、メッセージを送受信するためのアンテナなどを含むことができる。
【０１２０】
図８を参照すると、左側は送信装置の構造で、ＤＡＳに属した基地局を示し、右側は受信装置の構造で、ＤＡＳ基地局がサービスするセル内に進入した端末を示す。送信装置及び受信装置はそれぞれ、アンテナ８０１，８０２、受信モジュール８１０，８２０、プロセッサ８３０，８４０、送信モジュール８５０，８６０及びメモリ８７０，８８０を含むことができる。
【０１２１】
アンテナ８０１，８０２は、外部から無線信号を受信して受信モジュール８１０，８２０に伝達する機能を行う受信アンテナ、及び送信モジュール８５０，８６０で生成された信号を外部に伝送する送信アンテナで構成される。アンテナ８０１，８０２は、多重アンテナ（ＭＩＭＯ）機能が支援される場合には２個以上を備えることができる。
【０１２２】
図８に示された送信装置のアンテナ８０１は、基地局の全体アンテナのうち、通信を行う時のチャネル状態、端末の位置、基地局と端末間の距離などに基づいて選択された一つ以上のＤＡを示す。選択された一つ以上のＤＡは固定されたものではなく、受信装置の位置変動などによって変動可能である。
【０１２３】
受信モジュール８１０，８２０は、外部からアンテナを通じて受信された無線信号に対する復号（ｄｅｃｏｄｉｎｇ）及び復調（ｄｅｍｏｄｕｌａｔｉｏｎ）を行い、原本データの形態に復元してプロセッサ８３０，８４０に伝達することができる。受信モジュールとアンテナは、図８に示されたように分離せずに、無線信号を受信するための受信部として表してもよい。
【０１２４】
プロセッサ８３０，８４０は、通常、送信装置または受信装置の全般的な動作を制御する。特に、上述した本発明の実施例を行うためのコントローラ機能、サービス特性及び伝播環境によるＭＡＣ（Ｍｅｄｉｕｍ  Ａｃｃｅｓｓ  Ｃｏｎｔｒｏｌ）フレーム可変制御機能、ハンドオーバ（Ｈａｎｄ  ｏｖｅｒ）機能、認証及び暗号化機能などを行うことができる。
【０１２５】
送信モジュール８５０，８６０は、プロセッサ８３０，８４０からスケジューリングされて外部に伝送されるデータに対して所定の符号化（ｃｏｄｉｎｇ）及び変調（ｍｏｄｕｌａｔｉｏｎ）を行った後、アンテナに伝達することができる。送信モジュールとアンテナは、図８に示されたように分離せずに、無線信号を伝送するための送信部として表すことができる。
【０１２６】
メモリ８７０，８８０は、プロセッサ８３０，８４０の処理及び制御のためのプログラムが格納されてもよく、入／出力されるデータ（移動端末の場合、基地局から割り当てられたアップリンクグラント（ＵＬ  ｇｒａｎｔ））、システム情報、基地局識別子（ｓｔａｔｉｏｎ  ｉｄｅｎｔｉｆｉｅｒ：ＳＴＩＤ）、フロー識別子（ｆｌｏｗ  ｉｄｅｎｔｉｆｉｅｒ：ＦＩＤ）、動作時間などの臨時格納のための機能を行うこともできる。
【０１２７】
また、メモリ８７０，８８０は、フラッシュメモリタイプ（ｆｌａｓｈ  ｍｅｍｏｒｙ  ｔｙｐｅ）、ハードディスクタイプ（ｈａｒｄｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうち少なくとも一つのタイプの格納媒体を含むことができる。
【０１２８】
送信端のプロセッサ８３０は、基地局に対する全般的な制御動作を行い、上記図３で詳述した本発明の一実施例に係る基地局のアンテナを多数のローカルアンテナグループで構成して、グループ単位でパイロットパターンセットを割り当てることができる。また、一般的なレガシー端末がアンテナ別チャネル推定を行うことができる一般的なミッドアンブルだけでなく、上記図４乃至図７で詳述した本発明の他の実施例に係るＤＡＳ支援端末に対するグローバルミッドアンブル及びローカルミッドアンブルを構成することができる。
【０１２９】
また、プロセッサ８３０は、本発明の実施例に係るローカルアンテナグループマッピング情報、グローバルミッドアンブル構成情報及びローカルミッドアンブル構成情報のうち少なくとも一つを生成して受信端に伝送するように行うことができる。
【０１３０】
また、送信端のプロセッサ８３０は、ＤＡＳシステムに関する設定情報、各端末との通信に使用しようとする有効アンテナまたはアンテナグループに関する情報としてアンテナの個数及び／又はインデックス情報を含む制御情報を構成することができる。
【０１３１】
受信装置は、送信装置から伝送される信号及びＤＡＳ制御情報を、受信モジュール８２０を通じて受信し、前記ＤＡＳシステムに関する多様な設定情報、及び前記送信装置との通信を行うのに使用されるアンテナまたはアンテナグループに関する情報を獲得することができる。
【０１３２】
受信装置のプロセッサ８４０は、端末の全般的な制御動作を行い、送信装置から伝送されるダウンリンク信号を測定して、各アンテナ別チャネル推定を行うことができる。また、各アンテナ別受信強度による受信端に有効な基地局アンテナに関する情報、及びチャネル推定によるフィードバック情報を構成することができる。
【０１３３】
一方、基地局は、上述した本発明の実施例を行うためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境によるＭＡＣフレーム可変制御機能、高速トラフィックリアルタイム制御機能、ハンドオーバ（Ｈａｎｄｏｖｅｒ）機能、認証及び暗号化機能、データ伝送のためのパケット変復調機能、高速パケットチャネルコーディング機能及びリアルタイムモデム制御機能などを、上述したモジュールのうち少なくとも一つを通じて行ったり、このような機能を行うための別途の手段、モジュールまたは部分などをさらに含むことができる。
【０１３４】
以上開示された本発明の好ましい実施例についての詳細な説明は、当業者が本発明を具現して実施できるように提供された。以上では本発明の好適な実施例を参照して説明したが、当該技術の分野における熟練した当業者には、本発明の領域から逸脱しない範囲内で本発明を様々に修正及び変更できるということが理解されるであろう。例えば、当業者は、上記の実施例に記載された各構成を互いに組み合わせる方式で用いることができる。
【０１３５】
したがって、本発明は、ここに示されている実施形態に制限されるものではなく、ここに開示されている原理及び新規な特徴と一致する最も広い範囲を与えるためのものである。
【産業上の利用可能性】
【０１３６】
本発明の各実施例は、無線通信システムにおいて、基地局または端末、その他の装備に使用可能である。
【図１】
2013521693.tif 000003
【図２】
2013521693.tif 000004
【図３】
2013521693.tif 000005
【図４】
2013521693.tif 000006
【図５】
2013521693.tif 000007
【図６】
2013521693.tif 000008
【図７】
2013521693.tif 000009
【図８】
2013521693.tif 000010
【国際調査報告】
2013521693.tif 000011
2013521693.tif 000012
2013521693.tif 000013
2013521693.tif 000014